【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
天然の草木の葉や柑橘類の実またその皮、国内産及び、国外産のビタミンＣ群やビタミンＥ、ビタミンＡ群ビタミンＢ群などの効果を発揮させて、なお、成分が長期間落ちないために自然の草木の色素を大切にして物質エネルギーを保護させる、ビタミンＣは光や熱に弱いそこで登場するのがお茶の葉緑素が必要、葉緑素は新鮮な酸素を作り空気を綺麗にする、さらに、ビタミンＣの酸化に関与して光などを吸収遮蔽し保護する、そして、トコフェロールの酸化に関与する光を遮る、さらに、葉緑素は還元型ビタミンＣとなり、物質の酸化を抑制する。ビタミンＰは柑橘類の色素の濃い物程リコピンやフラボノイド化合物が多くビタミンＣが熱に強くなる。また、柑橘類の皮、スジ、袋にはヘスペリンジンパワーが有りビタミンＣを安定させる、その目的特徴はビタミン類の集合体有機物から発生する柑橘系気体ガスや自然生命体イオンセラミックスの総合作用によるものである。使用目的に合わせて混合し粉体、糊状にする、粒子の大きさによって気体ガスの強弱、使用期間の長い短いが決定する、洋紙、不織布等に混合する場合、植物糊と混合し完全に付着させて、浄水機用、シャワー用、風呂用、のカートリージ、生活品用、不織布とする、その素材は有害物質、燐酸イオン、硝酸イオン、臭気物質、アンモニア、トリメチルアミンを除去する。更に、黄色ブドウ球菌、ウイルス菌、大腸菌、腸炎ビブリオ、サルモネラなど繁殖型菌、毒素型菌を殺菌する。このようにしてあらゆる角度から照らしても安全な食品の保護用品を作り出す、また、同じ素材の工夫次第により日常生活上欠かすことの出来ない特徴を持つ生活必需品の有害物質除去材の製造方法。
【請求項２】
お茶、ローズヒップス、松の実、レモン、柑橘類の皮、また実、こんにゃく、水溶性糊剤、紙類、洋紙類、和紙類、パルプ、不織布、木綿生地、わた、ポリエチレン、ポリプロピレン、フィルター類、合成糊付け可能な素材一式、殺菌セラミックス、ホウ砂類、フエライト系セラミックス、酸化防止剤、酸化チタン、ゼオライト系、オオガニックコットン、からなる原材料の中より選ばれた原材料を組み合わせ用いることを特徴とする請求項１記載による生活必需品の有害物質除去材の製造方法。
【請求項３】
請求項１記載に係る原材料の群より選ばれた素材の成分保持方法をもちいて、請求項２記載に係る原材料の群より選びだし、その素材を組み合わせた総合ビタミン混合糊を、パルプ不織等に塗布、漉き込み、また、糊付けをする、目的と用途に合わせ糊材が表面に出ないように加工する、その素材で魚を包むと魚の生臭味を除去し更に旨味性遊離アミノ酸を増し魚の身が引き締まり鮮度を増す。同じ素材に魚、肉類の下に敷きラップ等で覆うと更に効果高く、貯蔵すると尚一層素材の効果が現れるそして、大腸菌、サルモネラ、腸炎ヒブリオ、黄色ブドウ球菌、レジオネラ、ウイルス菌等を殺菌し安全な食材となり、特に肉などの下に敷くとホルモン肉から出る血臭みを取り除き旨味をまして安心な食材となる。また、コロッケ、鶏のから揚げ等電子レンジにて加熱することが出来る。そして、落し蓋用に使うと食材から出るアクや臭み、魚の生臭い味を取り除き美味しい食材となる。紙パルプ不織布等吸収倍率自重が高く長期間保持能力のあるろ過フィルターに仕上げ、一般の浄水機、その効果は瞬間的残留塩素の除去、有機塩素化合物除去、残留農薬の除去、人体に有害な臭気、規制物質２−メチルイソボルネオールとジオスミン共に除去することを特徴とする請求項１記載における生活必需品の有害物質除去材の製造方法。
【請求項４】
請求項１記載に係る原材料の群より選ばれた素材成分保持方法を用いて、請求項２記載に係る原材料の群より選び出し、その素材を組み合わせ加工し食品保存用袋にする。その作用は柑橘系気体ガス微量に長く発散するように総合ビタミン材を混合し、密封袋の中で空気よりその粒子が小さい為に、果物の中に入っている空気を追い出し気体ガスが入り込み果物の細胞を停滞させて、エチレンガス等に変化することを抑制する為である。その他配合比率を少し変更し、ホウ砂を少量とお茶を多く混入し不織布類に混合すると微小動物、衣類を食い荒らす虫、ゴキブリ、ダニを撃退することが出来る。虫類を殺すのでなく環境の良い場所には住み着かない自然撃退することができる。その用途は、畳の下、押入れの下、タンス類の中、衣類の包装に用いるとカテキンの力でウイルス菌を殺す、そして、微弱なお茶の香りを放散し、工夫次第で環境に良い製品を生み出すことを特徴とした請求項１記載における生活必需品の有害物質除去材の製造方法。
【請求項５】
請求項１記載に係る原材料の群より選ばれた素材の成分保持方法をもちいて、請求項２記載に係る原材料の群より選び出し、その素材を組み合わせた混合糊を棉生地、麻生地、絹生地、オーガニックコットンに塗布しその素材をソフトに仕上げ下着、パンツの局部に合うようにオーガニックコットンの薄い生地に入れ取外し可能、クリーニングが出来るように仕立てる。同じ加工方法で脇の下に合う場所、シャツなどに取り付け取り外しできる状態に仕立てる。更に工夫次第で同じ不織布をソフト仕上げ原反幅のまま裁断し毎日使う寝具の中に入れると人体に有害菌の殺菌は無論のこと体臭や人からでる汗を取り除くことが出来る。更に一歩進むと年寄り、寝たきり老人の体臭除去と床ずれ防止に大きく役立つ敷布となる、その作用効果は緑膿菌、大腸菌やレジオネラなど繁殖型菌は無論のこと、毒素型カビ菌指定４菌株、黒麹カビ菌など、そして、カビ菌の一種であるカンジダを殺菌する。また、体臭のきつい人やカビ菌から発生する汗臭、脂肪酸（プロピオン酸）取り除くことを特徴とした、請求項１記載における生活必需品の有害物質除去材の製造方法。
【請求項６】
請求項１記載に係る群より選ばれた素材の成分保持方法をもちいて、請求項２記載に係る原材料の群より選び出し、紙不織布、レイヨン、ポリエステルなど用途目的合わせて塗布し、渦巻き状態にしたフィルターにする。その加工方法は必ず紙不織布と化学繊維不織布にビタミンなど目的に混合した水溶性糊材を塗布して両方を重ねて約３０ｃｍ位の丸い心棒に沿って渦巻きに巻き込み最後は電気コテで熱を加えると仕上がる長さや太さはメーカーの機種に従って作る事、紙不織布のみで作った場合水に紙は溶ける、その為に化学繊維不織布を重ねて使うと長期に渡り形が崩れない。この方法は他で出来ない小型機種可能、その用途は水道水の塩素は有害でありその塩素を取り除き安全な水となる、一般に使われるシャワーでは塩素ガスの発生を抑制し安心のもてるシャワー水となる、家庭用浄水機の残留塩素やトリハロメタンを取り除く、風呂水は塩素によって肌がピリピリして肌荒れ原因を断ち切る風呂用浄水機としての価値観が高くなる、植木などの散水では塩素によって植木が枯れることを防ぐ散水用浄水機、水道水は塩素が入っていて有害であり塩素を取り除くとミネラル不足となる、それを解消する為に麦飯石などの粉砕を混合して加工するとミネラルの調整が整えることを特徴とした。請求項１記載における生活必需品の有害物質除去材の製造方法。
【手続補正２】
【補正対象書類名】明細書
【補正対象項目名】発明の詳細な説明
【補正方法】変更
【補正の内容】
【発明の詳細な説明】
【０００１】
【発明に属する技術分野】
本発明は、お茶、柑橘類からなる総合ビタミン群を紙類、不織布類、パルプ紙、それに類似した素材、ビタミン類とこんにゃく糊、水溶性糊と混合し総合ビタミン糊を作り塗布する。また、フィルター類に漉きこむ作業をする、出来た素材は、有害物質、残留農薬、有機塩素化合物を除去する、また有害菌の殺菌、有害カビ胞子の殺菌、有害微小生虫の撃退、をして安心の持てる素材で食品包装紙など、飲料水用、新しい酸素用、フィルター類、不織布、体臭除去シートなど安全な生活必需品にする製造方法に関する技術に属するものである。
【０００２】
【従来の技術】
従来はビタミン類の使用目的が違い主に人体の栄養剤に使われていた。また化粧品などにも使われることが多い、本発明のように有害物質の除去材、有害菌の殺菌に使われたことはない。
【０００３】
そこで、現在食品の包装に使われている、洋紙、和紙、不織布などを化学分析すると一般細菌、大腸菌など死滅させる能力がないにも拘わらず抗菌紙として消費者に大きな迷いを感じさせている。
【０００４】
そして、その包装素材に水分などが含まれた場合雑菌が飛び込み、適度の温度となれば雑菌は益々多く繁殖し、社会問題として提起されている現在、これらすべてに有害物質除去方法が必用となっている。
【０００５】
【発明が解決しょうとする課題】
本発明は、前記した従来の技術的欠陥を解決するために、多種類のビタミン類や柑橘類の皮、実を複合加工したビタミン類、セラミックスを含有し粉体、糊材を作り多種類の洋紙、和紙、不織布、落し蓋紙、シート類、コーヒー用、お茶越用、浄水機用、シャワー用、新しい酸素作り用に塗布する。また、紙等に漉き込み、有害物質除去材とした。その用途の幅が広く尚且つその作業が頗る早く生産できる。そして、その製品は有害物質を瞬間的に除去することを実現し、安全な生活必需品とすることを課題とするものである。
【０００６】
【課題を解決するための手段】
前記した課題を解決するために、本発明はビタミンＣ類、ビタミンＢ類、ビタミンＥ類と草木や木の実、皮、植物、総合ビタミン類、セラミックスを混合し長期間に渡ってもその効果が落ちないように混合する。そして、その素材混合比率により使用目的の範囲も幅広く加工が容易に出きる素材としたものである。
【０００７】
【発明の実施の形態】
本発明は請求項１記載に係る発明に示したように、ビタミン類、草木、柑橘類、皮、セラミックスを混合糊状にして洋紙、和紙、不織布などに漉き込む場合や塗布する、その製品を使用すると安全な食品包装紙、飲料水フィルター、酸素フィルター、脱臭シート類、カビ菌など殺菌綿、等多くの製品を作り出すことを目的とした生活必需品の製造方法である。使用後はビタミンが混入された素材為に他の物質から出るダイオキシンを抑制し、焼却時には公害防止に大きく役立つ素材である。
【０００８】
請求項１記載に係る発明に示すように、素材の成分をよく吟味して草木が持つ自然エネルギーであるビタミン類がその効果を失わないために、自然原理をよく参考にして、使用目的場所に合わせ、それぞれの特徴ある素材選び、自然の葉緑素が持つ細胞を壊すこと無く混合糊にすることが大切である。
【０００９】
また、本発明が示すようにあらゆる素材に簡単な方法で塗布することができる。原反そのままでソフトに仕上ると寝具類の脱臭シートとして使われる、そのシートを小さく切ると魚を包む包装紙と成る。その効果は偉大であり、化学分析によって素早く証明される。
【００１０】
そして、自然の草木など特に葉緑素は還元型ビタミンＣを作りだす、柑橘類の色素の濃い物はビタミンＰが多く含まれている、煎茶などと混合するとビタミンＣが熱に対して強くなりトコフェロールを保護して、酸化に関与する光を遮る
【００１１】
そして、今回自然の中から多種類のビタミンを集めた目的は、素材の特徴を重んじた点である、お茶、ローズヒップス、レモン、松の実、柑橘類の持つ性質である、葉、木、袋、皮、スジ、種、を切断粉砕にし糊状で加工すると今までに考えられない程多くの総合ビタミンとして発揮させた点である。
【００１２】
そして、その力は言葉で現すことの出来ない瞬間的な作用が有り人体に有害な臭気物質である、アンモニア及び、リン酸イオン、硝酸イオン、トリメチルアミンなどを除去する。
【００１３】
また、一般に考えられない程早く、人体に有害な大腸菌、など繁殖型菌や毒素型菌である黄色ブドウ球菌まで殺菌して、安全な食品など広範囲に使用することができる。なお、安価で大量に生産することが可能な発明である。
【００１４】
そして、抗菌と言う言葉ですべての菌を殺すかのように捕らえられている場合がある。それは大きな考え違いである、今回の殺菌方法は一例、ウイルス菌はカテキンで殺す、一般の繁殖型菌の死滅はサランラップ等で覆い柑橘系気体ガスを充満させて殺す、特別菌の多い場合は殺菌石を混入すると完全殺菌することが出来る。カビ菌はカビ菌を殺す素材を混入して殺す、このようにしていろいろ素材を吟味しなくては成らない。
【００１５】
請求項２記載に係る発明に示すように、自然の素材から目的に合う素材を集めて、今回の発明に必要な素材を選び出せるように、その幅を広く総合ビタミンとして機能を発揮することができる、更にフエライト、セラミックス、など取り入れることにより本発明の幅広く対処することが第一の目的である。
【００１６】
請求項３記載に係る発明に示すように、請求項１記載に係る原材料の保持方法をもちいて、請求項２記載に係る原材料の群より選び出し、その素材を切断粉碎にし水溶性糊と混練にして、洋紙、和紙、不織布等と混合、塗布した素材でその効果は素早く瞬間的に塩素系有害物質を取り除き、なお、総合ビタミン群の配合によりその用途の幅は広く、食材の放置や無駄をなくして安心の持てる飲食物の保護材とすることができる。
【００１７】
また、一般の飲料水、食材などが化学や経済の進展により、年々と悪化する、特に輸入食品等残留農薬など限り知れない程問題が提起されている。現在の社会環境で安全な飲料水、食材を求められる為に本発明の素材が社会に大きく役立つ。
【００１８】
そして、総合ビタミン材は天然素材であるために、お茶等の色素がパルプ不織布などの表面に付き汚くなる。この天然食の色素配合により綺麗に仕上げることが第一の関門である。この発明の目的は、有害物質、殺菌力の効果発揮が目的でどうしてもパルプ不織布などにビタミン材を多く入れなければ成らない場合があり表面に天然色が付かないように加工技術が必要である。
【００１９】
この製品は、魚、特に肉類のホルモンからでる汚れドリップを多く吸い取り、その中間に総合ビタミン材と殺菌能力あるセラミックスと柑橘類の混合糊が着けられている、その製品の上に魚、肉類を置き、サランラップ等で覆い保管すると大腸菌、繁殖型菌、毒素型菌を殺菌して安心の持てる食材となる。
【００２０】
また、ビタミン紙の上に魚、鶏のから揚げ、コロッケ、豚カツなどを電子レンジの中にいれて、それぞれの温度で美味しい料理なる、特に魚の生臭味を取り除き旨味をます、用途幅が広く今後社会の為に大きく役立つ発明である。
【００２１】
請求項４記載にかかわる発明に示すように、請求項１記載に係る原材料の保持方法をもちいて、請求項２記載にかかわる原材料の群より選び出し、冷蔵庫保存用袋に加工する、この袋で保管すると本発明の基本である有害菌、有機塩素化合物、残留塩素、残留農薬、臭気などを取り除き、安心のできる食品保存袋となり、一般の家庭は無論のこと生産者に対しても広く貢献できる発明である。
【００２２】
その他、配合比率を少し変えて、お茶を少し多く、ホウ酸を少し混入すると微小動物、衣類を食う虫、ゴキブリ、ダニを撃退する事が出来る。虫類を殺すのでなく環境の良い場所には自然生命体イオンの発生により住み着かない、自然撃退し、お茶などビタミン、カテキンにより良い臭いを放散し、自然生命体イオンの波長を受けてさわやかな自然環境を作りだす素材である。
【００２３】
さらに、有害菌、有害物質、有害臭、ウイルス菌を除去し、尚、危険な指定４菌カビ菌の発生も抑制し安心のできる部屋となり、その用途は畳の下、ジュウタンの下、押入れの下、その目的用途の幅も広い発明である。
【００２４】
さらに、配合時にお茶を少し多くホウ砂少し混入した製品を作り、タンス類の中に敷く紙、衣類の包装紙に製品化すると虫類は無論のこと、カビ胞子の有害菌の心配もなくさらに微弱なお茶の良い香りが発散して、非常に社会から喜ばれる製品作りの発明である。
【００２５】
請求項５記載に係る発明に示すように、請求項１記載に係る原材料の保持方法をもちいて、請求項２記載に係る原材料の群より選び出し、その素材である、総合ビタミンを組み合わせた混合糊を、綿、（オーガニックコットン）に塗布してソフトに仕上げ、下着パンツの局部に当てるように表面は、薄い生地に入れ、取り外し可能でクリーニング出来るように加工する。
【００２６】
そして、下着に簡単に取り付け取り外しの出来る状態にする、その作用効果は大腸菌、繁殖型菌は無論のこと汗や水分集合箇所から発生する、緑脳菌、サルモネラ、カビ菌を殺菌する、そして、現在スタイル優先社会で下着のパンツの局部から発生する、カビ菌の一種カンジダや脂肪酸（プロピオン酸）から発生する体臭を抑制し、現在の社会で多くの悩みある人々に貢献できる発明である。
【００２７】
また、同じ加工方法で脇の下に合うように加工して、取り外しの出来るように仕立て、シャツに取り付ける、この場合も多くの人々が体臭問題で悩みを解消し多くの方々に喜んで戴ける発明である。
【００２８】
そして不織布原反をソフトに仕上げふとんの中や敷布用シートにすると本発明特有の汗、体臭、有害菌の殺菌をする、この場合は裁断費用がかからないので安価で生産できる、また老人の床ずれ防止シートとして非常に喜ばれる。一般の魚用シートは塗布した原反を小さく裁断した物である。
【００２９】
請求項６記載に係る発明に示すように、請求項１記載に係る原材料の保持方法をもちいて、請求項２記載に係る原材料の群より選び出し、その素材である総合ビタミンやフエライト系セラミックス、殺菌石、と用途に合わせた混合糊、パルプ不織布等に塗布、糊着けをして一般家庭の浄水機、一般家庭のシャワー、ホテルのシャワーに取り付けられて各々メーカーの型式に合った、小回りの効くフィルターカートリッジを作ることの発明である。
【００３０】
そして、案外仕方なしに心棒しているのが植木を作る方々は水道水わ掛けると塩素で植木が枯れて困っている、その為に家庭用の浄水機活性炭カートリッジを通した水に更にミネラル分の入った麦飯石の粉体を入れて、植木に散布している現状その単価も高く着き困っている、内容を普段何とかこの現状を解決する為に作り上げたカートリッジです。
【００３１】
また、塩素の分解は本発明の総合ビタミンより機能を発揮する素材は有りません。総合ビタミンは数多くの還元型ビタミンで瞬間的に残留塩素を分解し、活性炭と比べものにならない長期に渡りその機能が持続します。
【００３２】
最後にご報告ですが、同じ作り方で少し内容を変える至極簡単で違った目的のフィルター、カートリッジを作り出すことが出来る、その用途はシャワー用フィルター、カートリッジです、一般家庭用、ホテル用、その用途の幅は広い、毎日使うシャワー水は洗頭顔に使うのは若い女性のヤング層が一番多く使う、また、その悩みも大変なものでそれを解消する発明です。
【００３３】
その中には風呂場室でシャワーを使っていた所、残留塩素の水が小さくなり其れがガス体となり、ガス中毒の恐れがあるなどで使用時は窓を開けて使うと言われる現状です。それを解決する為に作り上げたカートリッジです。その効果は、お茶、ビタミンＰを多く含む素材を使うと、瞬間時にその良さが判る、それは、瞬間的に残留塩素、残留塩素化合物、悪臭物質、などを取り除くそして、還元型ビタミンや多くの総合ビタミンにより、肌がすべすべになり使用後はテアニン、シャワーで心が落ち着くなど、現在まで使ったことのない、喜びを感じて頂ける、不織布カートリッジの大きな発明である。
【００３４】
以上に説明したように、本発明の有害物質除去材は天然の草木の葉や柑橘類の実またはそり皮、国内産及び、国外産のビタミンＣ群やビタミンＥ、ビタミンＡ群、ビタミンＢ群などの効果を発揮させるために、総合ビタミンや合成ビタミン群とした。ビタミンＣなどはその成分を早く失う性質をもっているので、柑橘類の実などをもちいて、ビタミンＣの成分を保護する為には脂質やビタミンＰ、カルシウム、マグネシウムを多く含まれた素材を吟味してほどよく混合し、合成ビタミン糊を作り、不織布などに塗布、糊着けをして製品化した、その製品は有機塩素化合物、環境ホルモン、ウイルス菌、の殺菌や有害物質の除去に大きく役立ち、しかも、安価で大量生産可能であり、使用後は有害な成分の溶出もなく、他の素材ゴミと一緒に焼却すればダイオキシンなどの抑制に大きく役立ち、環境保護、保全に必要な素材の発明である。